【事件の表示】
　特願２００９−１４１１６６「運動教習システム」拒絶査定不服審判事件〔平成２１年　９月　３日出願公開、特開２００９−１９５７５９、請求項の数（１）〕について、次のとおり審決する。
【結　論】
　原査定を取り消す。
　本願の発明は、特許すべきものとする。
【理　由】
第１．手続の経緯
　本件出願は、平成１９年６月８日に出願した特願２００７−１５２５５２号（以下「原出願」という。）の一部を平成２１年６月１２日に新たな特許出願としたものであって、平成２１年６月１９日付け、平成２４年４月２３日付け、及び同年７月１０日付けで手続補正がなされ、平成２５年３月２９日付けで拒絶の査定がなされ、同年７月１日に拒絶査定に対する審判の請求がなされると同時に手続補正書が提出されて特許請求の範囲を補正する手続補正がなされ、これらに対し、同年８月６日付けで審尋がなされ、同年１０月１７日に回答書が提出されたものである。
　
第２．平成２５年７月１日付け手続補正書による補正（以下「本件補正」という。）の適否
１．補正の内容
　本件補正は、特許請求の範囲の請求項１を、
「複数の表示部を有する表示手段と、
　複数種の身体ポーズに関するポーズデータを記憶したポーズデータ記憶手段と、
　前記身体ポーズ毎に呼吸のタイミングデータを記憶した呼吸タイミングデータ記憶手段と、
　前記ポーズデータに基づく身体ポーズを表示部に表示させるとともに、前記タイミングデータに基づく当該身体ポーズに対応する呼吸のタイミングを報知する報知手段と、を備え、
　前記報知手段は、複数の表示部のうち身体ポーズを表示した表示部とは異なる表示部に所定画像を表示させるとともに、当該所定画像のサイズを前記タイミングデータに基づいて大小変化させることにより報知し、
　前記ポーズデータに基づく身体ポーズの表示は、インストラクター画像の表示によって行い、
　前記所定画像のサイズの大小変化は、前記インストラクター画像の吐く動作に同期させて『吐く』の文字を含む呼吸模式画像を順次小さく変化させ、前記インストラクター画像の吸う動作に同期させて『吸う』の文字を含む呼吸模式画像を順次大きく変化させるようにして行う
ものであり、
呼吸模式画像は、吸うタイミングとなると『吐く』の文字が『吸う』に変化し、吐くタイミングとなると『吸う』の文字が『吐く』に変化するものである
と補正するものである。（下線は審決で付した。以下同じ。）
　
２．補正の適否
　本件補正は、請求項１に係る発明を特定するために必要な事項である「呼吸模式画像」に関し、「呼吸模式画像は、吸うタイミングとなると『吐く』の文字が『吸う』に変化し、吐くタイミングとなると『吸う』の文字が『吐く』に変化するものである」と限定するものであって、補正前の請求項１に記載された発明と補正後の請求項１に記載された発明の産業上の利用分野及び解決しようとする課題が同一であるから、特許法第１７条の２第５項第２号の特許請求の範囲の減縮を目的とするものに該当する。
　また、特許法第１７条の２第３項、及び第４項に違反するところはない。
　そこで、本件補正後の前記請求項１に係る発明（以下「本願補正発明」という。）が、特許出願の際独立して特許を受けることができるものであるか（特許法第１７条の２第６項において準用する同法第１２６条第７項の規定に適合するか）について以下に検討する。
　
（１）引用例
（ア）引用例１
　原査定の拒絶の理由に引用された、本願の原出願前に頒布された「特開昭５３−６７５３７号公報 」（以下「引用例１」という。）には、次の事項が記載されている。
・「
運動動作の分解連続図と、運動動作の個々の姿勢時間においてとるべき呼吸の呼気、吸気、停止の別、その単位時間あたりの量を示す色彩濃淡図と、呼吸の速度を示す間隔指標とを、たがいに関連して表示した多数の連続図表を、被訓練者の眼前に順次、その運動の速度と同期する速度において展開せしめるように構成してなる運動訓練装置
・「
連続図表を順次展開させる手段として、映画手法を用いる
　また、図１から、以下の事項が看取できる。
・「
運動動作の分解連続図には、インストラクター画像を表示して、身体ポーズの表示を行っている
　これらの記載事項、及び図示内容を総合すると、引用例１には、次の発明（以下「引用発明１」という。）が記載されているものと認められる。
「インストラクター画像を表示して、身体ポーズの表示を行っている運動動作の分解連続図と、運動動作の個々の姿勢時間においてとるべき呼吸の呼気、吸気、停止の別、その単位時間あたりの量を示す色彩濃淡図と、呼吸の速度を示す間隔指標とを、たがいに関連して表示した多数の連続図表を、被訓練者の眼前に順次、その運動の速度と同期する速度において展開せしめるように構成してなり、連続図表を順次展開させる手段として、映画手法を用いる運動訓練装置。」
（イ）引用例２
　同様に引用された、本願の原出願前に頒布された「特開２００５−２２４５７２号公報 」（以下「引用例２」という。）には、次の事項が記載されている。
・「請求項１に記載する『多段階に分け、順を追って
筋力トレーニングのフォームを習得する
・「また、第４の課題解決手段として、
ビデオなどの映像では、多段階に分けた動きを動画として表現することに加え、息を吸う、息を吐くに対応させて、風船様のイラスト、もしくはアニメーションを膨張、収縮させることによって、呼吸の方法を説明したものである
　また、これらの記載から、以下の事項が示されているといえる。
・「
筋力トレーニングのフォームを習得する装置
　これらの記載事項を総合すると、引用例２には、次の発明（以下「引用発明２」という。）が記載されているものと認められる。
「ビデオなどの映像で、筋力トレーニングのフォームを多段階に分けた動きを動画として表現することに加え、息を吸う、息を吐くに対応させて、風船様のイラスト、もしくはアニメーションを膨張、収縮させることによって、呼吸の方法を説明した筋力トレーニングのフォームを習得する装置。」
（ウ）引用例３
　同様に引用された、本願の原出願前に頒布された「特開平９−６１５６２号公報 」（以下「引用例３」という。）には、次の事項が記載されている。
・「【発明の属する技術分野】本発明は、音声出力装置に関する。詳しくは、オンタイマモードで電源オン状態にあるとき、所定時間オフ状態とすることを可能とすることによって、
目覚まし機能の向上を図るようにした音声出力装置
・「なお、上述実施形態においては、
オンタイマモードで設定時刻に電源オン状態になるとカラー受像管６の画面上に、チューナ２が選択したチャンネルの映像を表示させるものであるが、マイコン１１によってＯＳＤ回路５ａを制御して、ＯＳＤ回路５ａより出力される文字画像信号による文字画像をカラー受像管６の画面上にスーパーインポーズ表示させてもよい
・「また、
スヌーズモード設定時にあっては、ＯＳＤ回路９ａを更に制御して、その表示文字画像を次第に大きくなるように変化させてもよいし
　これらの記載事項を総合すると、引用例３には、次の発明（以下「引用発明３」という。）が記載されているものと認められる。
「オンタイマモードで設定時刻に電源オン状態になるとカラー受像管６の画面上に、チューナ２が選択したチャンネルの映像を表示させるものであって、マイコン１１によってＯＳＤ回路５ａを制御して、ＯＳＤ回路５ａより出力される文字画像信号による文字画像をカラー受像管６の画面上にスーパーインポーズ表示させ、スヌーズモード設定時にあっては、ＯＳＤ回路９ａを更に制御して、その表示文字画像を次第に大きくなるように変化させる目覚まし機能の向上を図るようにした音声出力装置。」
（エ）引用例４
　同様に引用された、本願の原出願前に頒布された「特開２００６−２１８２２２号公報 」（以下「引用例４」という。）には、次の事項が記載されている。
・「測定時に被測定者の呼吸を誘導する信号を発生させる信号発生手段と、この信号に基づき呼吸を誘導する表示を表示する
表示手段
血圧計
・「前記表示手段は、
表示図形の大きさを変化変化させることで息を吐くか吸うかを表示する
・「図１において、血圧計１は、被測定者の上腕部に巻回されたカフ２と血圧計本体部３とからなる。本体部３は、内部にマイクロコンピュータ等を備え血圧計全体を制御する制御部４、制御部４に接続されカフ２に圧力を増加させたり、圧力を減少させたりする圧力制御部５、制御部４に接続されカフ２の圧力を検出する圧力検出部６、本体部３に電力を供給する電源部７、本体部３に電力を供給するための電源スイッチ８、測定結果を表示するための
表示部９
・「上記実施例では、７個の液晶を順次表示し、いくつの液晶を表示するかのレベルの変化の方向で息を吐くかすうかを示したが、図５に示すように
７個の同心円状の液晶を備え、中心から外側に向かって順次表示し図形の大きさを変化させること、及び外側から中心方向に順次表示を消していき図形の大きさを変化させることで息を吐くかすうかを示してもよい
　また、図５から、以下の事項が看取できる。
・「
７個の同心円状の表示の外側に『息を吸う』及び『息を吐く』との文字が表示されている
　これらの記載事項、及び図示内容を総合すると、引用例４には、次の発明（以下「引用発明４」という。）が記載されているものと認められる。
「表示部９を有する表示手段を備え、表示部９に７個の同心円状の液晶を備えて表示図形を表示し、その外側に『息を吸う』及び『息を吐く』との文字が表示されており、上記の同心円状の表示図形を中心から外側に向かって順次表示し図形の大きさを変化させること、及び外側から中心方向に順次表示を消していき図形の大きさを変化させることで息を吐くかすうかを示す血圧計。」
（エ）引用例５
　審尋で引用された、本願の原出願前に頒布された「特開平１０−４３３２８号公報 」（以下「引用例５」という。）には、次の事項が記載されている。
・「【発明の実施の形態】以下、本発明の一実施形態を図面に基づいて説明する。図１には、本実施形態の呼吸法鍛錬装置１０が示されている。
呼吸法鍛錬装置１０は、呼吸を合わせるための報知手段１１と、この報知手段１１に関する設定を行う設定手段１２とを備えている。報知手段１１は、呼気を合わせるための呼気用ランプＬＥＤ1と、吸気を合わせるための吸気用ランプＬＥＤ2と、呼吸の停止を合わせるための停止用ランプＬＥＤ3とを含んで構成されている
・「このような本実施形態の呼吸法鍛錬装置１０では、
交互に点灯される各ランプＬＥＤ1，ＬＥＤ2，ＬＥＤ3に合わせて呼吸法の鍛錬を行う
　これらの記載事項を総合すると、引用例５には、次の発明（以下「引用発明５」という。）が記載されているものと認められる。
「呼吸を合わせるための報知手段１１と、この報知手段１１に関する設定を行う設定手段１２とを備え、報知手段１１は、呼気を合わせるための呼気用ランプＬＥＤ1と、吸気を合わせるための吸気用ランプＬＥＤ2と、呼吸の停止を合わせるための停止用ランプＬＥＤ3とを含んで構成されており、交互に点灯される各ランプＬＥＤ1、ＬＥＤ2、ＬＥＤ3に合わせて呼吸法の鍛錬を行う呼吸法鍛錬装置１０。」
　
（２）対比
　そこで、本願補正発明と引用発明１とを対比すると、
　後者における「『連続図表を順次展開させる手段』、及び『映画手法』」は、その機能、作用等からみて、前者における「表示手段」に相当し、以下同様に、「『身体ポーズの表示を行っている運動動作の分解連続図』、『運動動作の個々の姿勢時間においてとるべき呼吸の呼気、吸気、停止の別、その単位時間あたりの量を示す色彩濃淡図』、及び『呼吸の速度を示す間隔指標』」は「報知手段」に、「運動訓練装置」は「運動教習システム」に、それぞれ相当する。
　また、後者における「『連続図表を順次展開させる手段』、及び『映画手法』」によって、被訓練者の眼前に連続図表を展開するから、後者における「『連続図表を順次展開させる手段』、及び『映画手法』」に「表示部」を有することは明らかである。
　また、後者における「連続図表」には、身体ポーズの表示を行っている運動動作の分解連続図を表示されるものであって、上記のとおり、「連続図表を順次展開させる手段」は「表示部」を有するものであるから、後者における「表示部」は「身体ポーズを表示させている」といえる。
　したがって、両者は、
「表示部を有する表示手段と、
　身体ポーズを表示部に表示させるとともに、当該身体ポーズに対応する呼吸のタイミングを報知する報知手段と、を備え、
　身体ポーズの表示は、インストラクター画像の表示によって行う、
運動教習システム。」
　の点で一致し、以下の点で相違している。
［相違点１］
　表示部に関し、本願補正発明は、「複数の」表示部を有するのに対し、引用発明１は、そのようなものではない点。
［相違点２］
　本願補正発明は、「複数種の身体ポーズに関するポーズデータを記憶したポーズデータ記憶手段と、前記身体ポーズ毎に呼吸のタイミングデータを記憶した呼吸タイミングデータ記憶手段と、」を備えるのに対し、引用発明１は、そのようなものではない点。
［相違点３］
　報知手段に関し、本願補正発明は、「ポーズデータに基づく」身体ポーズを表示部に表示させるとともに、「タイミングデータに基づく」当該身体ポーズに対応する呼吸のタイミングを報知する報知手段であり、前記報知手段は、「複数の表示部のうち身体ポーズを表示した表示部とは異なる表示部に所定画像を表示させるとともに、当該所定画像のサイズを前記タイミングデータに基づいて大小変化させることにより報知し、」「前記ポーズデータに基づく」身体ポーズの表示は、インストラクター画像の表示によって行い、「前記所定画像のサイズの大小変化は、前記インストラクター画像の吐く動作に同期させて『吐く』の文字を含む呼吸模式画像を順次小さく変化させ、前記インストラクター画像の吸う動作に同期させて『吸う』の文字を含む呼吸模式画像を順次大きく変化させるようにして行うものであり、呼吸模式画像は、吸うタイミングとなると『吐く』の文字が『吸う』に変化し、吐くタイミングとなると『吸う』の文字が『吐く』に変化するものである」のに対し、引用発明１は、「インストラクター画像を表示して、身体ポーズの表示を行っている運動動作の分解連続図と、運動動作の個々の姿勢時間においてとるべき呼吸の呼気、吸気、停止の別、その単位時間あたりの量を示す色彩濃淡図と、呼吸の速度を示す間隔指標とを、たがいに関連して表示した多数の連続図表を、被訓練者の眼前に順次、その運動の速度と同期する速度において展開せしめるように構成してな」る点。
　
（３）判断
　上記相違点３について以下検討する。
　引用発明２は、上記（１）（イ）のとおりであって、引用発明２における「風船様のイラスト、もしくはアニメーション」は、その構造、機能、作用等からみて、本願補正発明における「『所定画像』、及び『呼吸模式画像』」に相当し、以下同様に、「筋力トレーニングのフォームを習得する装置」は「運動教習システム」に相当する。
　また、引用発明２は、「ビデオなどの映像で、筋力トレーニングのフォームを多段階に分けた動きを動画として表現する」から、「表示部を有する表示手段」を有することは明らかである。
　また、引用発明２は、「筋力トレーニングのフォームを多段階に分けた動きを動画として表現することに加え、息を吸う、息を吐くに対応させて、風船様のイラスト、もしくはアニメーションを膨張、収縮させることによって、呼吸の方法を説明した」ものであるから、「身体ポーズを表示部に表示させるとともに、当該身体ポーズに対応する呼吸のタイミングを報知する報知手段を備え、前記報知手段は、風船様のイラスト、もしくはアニメーションのサイズを息を吸う、息を吐くという呼吸のタイミングに基づいて大小変化させることにより報知し、身体ポーズの表示は、インストラクター画像の表示によって行い、前記風船様のイラスト、もしくはアニメーションのサイズの大小変化は、前記インストラクター画像の吐く動作に同期させて呼吸模式画像を順次小さく変化させ、前記インストラクター画像の吸う動作に同期させて呼吸模式画像を順次大きく変化させるようにして行うものである」といえる。
　してみると、引用発明２は、「表示部を有する表示手段と、身体ポーズを表示部に表示させるとともに、当該身体ポーズに対応する呼吸のタイミングを報知する報知手段と、を備え、前記報知手段は、所定画像のサイズを息を吸う、息を吐くという呼吸のタイミングに基づいて大小変化させることにより報知し、身体ポーズの表示は、インストラクター画像の表示によって行い、前記所定画像のサイズの大小変化は、前記インストラクター画像の吐く動作に同期させて呼吸模式画像を順次小さく変化させ、前記インストラクター画像の吸う動作に同期させて呼吸模式画像を順次大きく変化させるようにして行うものである運動教習システム。」を備える。
　また、引用発明３は、上記（１）（ウ）のとおりであって、引用発明３における「カラー受像管６の画面」は、その構造、機能、作用等からみて、本願補正発明における「表示手段の表示部」に相当し、以下同様に、「表示文字画像」は「文字を含む所定画像」に相当する。
　してみると、引用発明３は、「オンタイマモードで設定時刻に電源オン状態になると表示手段の表示部に、文字を含む所定画像を順次大きく変化させる目覚まし機能の向上を図るようにした音声出力装置。」を備える。
　また、引用発明４は、上記（１）（エ）のとおりであって、引用発明４における「表示部９」は、その構造、機能、作用等からみて、本願補正発明における「表示部」に相当し、以下同様に、「（同心円状の）表示図形」は「『所定画像』、及び『呼吸模式画像』」に相当する。
　また、引用発明４は、「同心円状の表示図形を中心から外側に向かって順次表示し図形の大きさを変化させること、及び外側から中心方向に順次表示を消していき図形の大きさを変化させることで息を吐くかすうかを示す」から、「呼吸のタイミングを報知する報知手段を備え、前記報知手段は、所定画像のサイズを息を吸う、息を吐くという呼吸のタイミングに基づいて大小変化させることにより報知し、前記所定画像のサイズの大小変化は、吐く動作に同期させて呼吸模式画像を順次小さく変化させ、吸う動作に同期させて呼吸模式画像を順次大きく変化させるようにして行うものである」といえる。
　してみると、引用発明４は、「表示部を有する表示手段と、呼吸のタイミングを報知する報知手段を備え、前記報知手段の外側に『息を吸う』、及び『息を吐く』との文字が表示されており、前記報知手段は、所定画像のサイズを息を吸う、息を吐くという呼吸のタイミングに基づいて大小変化させることにより報知し、前記所定画像のサイズの大小変化は、吐く動作に同期させて呼吸模式画像を順次小さく変化させ、吸う動作に同期させて呼吸模式画像を順次大きく変化させるようにして行うものである血圧計。」を備える。
　また、引用発明５は、上記（１）（オ）のとおりであって、引用発明５における「『報知手段１１』、『呼気用ランプＬＥＤ1』、『吸気用ランプＬＥＤ2』及び『停止用ランプＬＥＤ3』」は、その構造、機能、作用等からみて、本願補正発明における「報知手段」に相当する。
　また、引用発明５における「報知手段１１」は、呼吸を合わせるためのものであるから、「呼吸のタイミングを報知する」ものといえる。
　また、引用発明５は、「報知手段１１は、呼気を合わせるための呼気用ランプＬＥＤ1と、吸気を合わせるための吸気用ランプＬＥＤ2と、呼吸の停止を合わせるための停止用ランプＬＥＤ3とを含んで構成されており、交互に点灯される各ランプＬＥＤ1、ＬＥＤ2、ＬＥＤ3に合わせて呼吸法の鍛錬を行う」から、「吸気用ランプＬＥＤ2は、吸うタイミングとなると点灯し、呼気用ランプＬＥＤ1は、吐くタイミングとなると点灯する」といえる。
　してみると、引用発明５は、「呼吸のタイミングを報知する報知手段を備え、報知手段である吸気用ランプＬＥＤは、吸うタイミングとなると点灯し、報知手段である呼気用ランプＬＥＤは、吐くタイミングとなると点灯する呼吸法の鍛錬を行う呼吸法鍛錬装置。」を備える。
　しかしながら、引用発明２ないし５には、少なくとも上記相違点３に係る本願補正発明の発明特定事項である呼吸模式画像に「『吐く』、及び『吸う』の文字を含む」点、並びに呼吸模式画像は、「吸うタイミングとなると『吐く』の文字が『吸う』に変化し、吐くタイミングとなると『吸う』の文字が『吐く』に変化するものである」点は示されておらず、係る点により、本願明細書に記載の「レッスン中における呼吸のタイミングをユーザがスムーズに認識することができる。」（段落【００１１】）、「レッスン中における呼吸のタイミングを認識することができ、正しい呼吸を伴うレッスンを行うことができる。」（段落【００５２】）という作用効果を奏するものである。
　しかも、引用発明３ないし５の属する技術分野は、それぞれ「目覚まし機能の向上を図るようにした音声出力装置」、「血圧計」、「呼吸法鍛錬装置」であって、引用発明１、及び２の属する「運動教習システム」という技術分野とは異なるから、そもそも引用発明１、及び２に引用発明３ないし５を適用することは、当業者が容易に想到し得るものではない。
　したがって、引用発明１において、引用発明２ないし５を適用することにより、相違点３に係る本願補正発明の発明特定事項とすることは、当業者が容易に想到し得るものではない。
　よって、上記相違点１、及び２を検討するまでもなく、本願補正発明は、引用発明１ないし５に基づいて、当業者が容易に発明をすることができたものであるとはいえない。
　
（４）むすび
　以上のとおりであって、本件補正は、特許法第１７条の２第６項において準用する同法第１２６条第７項の規定に適合する。
　
第３．本願の発明について
　本件補正は、上記のとおり、特許法第１７条の２第３項ないし第６項の規定に適合するから、本願の請求項１に係る発明は、本件補正により補正された特許請求の範囲の請求項１に記載された事項により特定されるとおりのものである。
　そして、本願については、原査定の拒絶理由を検討してもその理由によって拒絶すべきものとすることはできない。
　また、他に本願を拒絶すべき理由を発見しない。
　
　よって、結論のとおり審決する。